(57)【特許請求の範囲】
【請求項１】
建物開口部における一対の引き戸を備えた引違い戸に付設するための換気装置であって、
建物開口部における上記引き戸により開放される側の左右の開口部枠または該開口部枠に取り付けたサッシに、防虫を兼ねた換気パネルをそれぞれ開閉自在に軸着し、該換気パネルは上記引違い戸の換気のための開き巾に対応するパネル巾を有し、そのパネル枠に設置した面板が、防虫機能を有する多数の通気用小孔を備えた金属多孔板により形成され、
上記換気パネルが、それぞれの引き戸に沿う閉じ位置に固定する固定機構を備えると共に、該換気パネルの先端側から引き戸側に突出するように設けられ換気巾だけ開放した引き戸の開放側の縦框と係合して該引き戸の更なる開放を規制する係合部片を備えている、
ことを特徴とする引き戸用換気装置。
【請求項２】
上記換気パネルが、上記引き戸が保持されているサッシが固定されているところの、建物開口部の開口部枠に後付けで開閉自在に支持させる取付構造を備えている、
ことを特徴とする請求項１に記載の引き戸用換気装置。
【請求項３】
上記換気パネルを、上記引き戸が摺動自在に保持されているサッシにおける開口部枠側に設けたパネル取付部に支持させている、
ことを特徴とする請求項１に記載の引き戸用換気装置。
【発明の詳細な説明】
【技術分野】
【０００１】
本発明は、窓や出入り口等の建物開口部における引き戸あるいは引違い戸に付設して、外部からの虫類や不法な侵入を抑止しながら、室内の換気を効果的に行えるようにした引き戸用換気装置に関するものである。
【背景技術】
【０００２】
従来、引き戸あるいは引違い戸を備えた建物開口部においては、換気のためにそれらの引き戸をある程度開放してその開放部分を網戸等によって閉じ、虫類の侵入を防ぎながら換気のための通風を確保するのが一般的であるが、この場合、引き戸の施錠が外されているので、特にその状態が深夜にまで及ぶと外部からの不法な侵入に対して無防備になり、防犯性の観点から問題がある。そのため、夜などに外部からの侵入を抑止しながら換気を行うには、引違い戸等に設けられている小さな換気窓を開く程度であって、十分な換気を行うことができないのが通例である。
【発明の概要】
【発明が解決しようとする課題】
【０００３】
本発明の技術的課題は、外部からの虫類や他人の侵入を抑止しながら十分な換気を行えるようにした、防虫性及び防犯性においてすぐれた引き戸用換気装置を提供することにある。
【課題を解決するための手段】
【０００４】
上記課題を解決するための本発明によれば、建物開口部における一対の引き戸を備えた引違い戸に付設するための換気装置であって、建物開口部における上記引き戸により開放される側の左右の開口部枠または該開口部枠に取り付けたサッシに、防虫を兼ねた換気パネルをそれぞれ開閉自在に軸着し、該換気パネルは上記引違い戸の換気のための開き巾に対応するパネル巾を有し、そのパネル枠に設置した面板が、防虫機能を有する多数の通気用小孔を備えた金属多孔板により形成され、上記換気パネルが、それぞれの引き戸に沿う閉じ位置に固定する固定機構を備えると共に、該換気パネルの先端側から引き戸側に突出するように設けられ換気巾だけ開放した引き戸の開放側の縦框と係合して該引き戸の更なる開放を規制する係合部片を備えていることを特徴とする引き戸用換気装置が提供される。
【０００６】
また、上記引き戸用換気装置は、上記換気パネルが、上記引き戸が保持されているサッシが固定されているところの、建物開口部の開口部枠に後付けで開閉自在に支持させる取付構造を備えているものとすることができ、あるいは、上記換気パネルを、上記引き戸が摺動自在に保持されているサッシにおける開口部枠側に設けたパネル取付部に支持させているものとして構成することができる。
【０００７】
上記構成を有する引き戸用換気装置は、建物開口部に設置した引き戸を換気のための所期の開き巾だけ開いたうえで、上記換気パネルを引き戸に沿う閉じ位置にその固定機構により固定し、該換気パネルに設けた係合部片により引き戸の更なる開放を規制すると、上記換気巾だけ開放した引き戸の開放部分が換気パネルで閉じられることになるが、該換気パネルは、その面板が防虫機能を有する多数の通気用小孔を備えた金属多孔板により形成されているので、それにより外部からの虫類や他人の侵入を抑止し、防虫性及び防犯性においてすぐれた機能を発揮させながら、上記通気用小孔を通して室内の十分な換気を行うことができる。しかも、引き戸あるいは引違い戸の換気のための開き巾を自由に設定できるので、引き戸あるいは引違い戸を備えている部屋に応じて適切な換気を行うように構成することができる。また、上記換気パネルが多孔ではあるが金属板により形成され、換気のための所要の開き巾だけ開いた引き戸は、換気パネルに設けた係合部片により更なる開放が規制されているので、防犯性においてもすぐれたものになる。
【発明の効果】
【０００８】
以上に詳述した本発明の引き戸用換気装置によれば、外部からの虫類や他人の侵入を抑止しながら十分な換気を行えるようにした、防虫性及び防犯性においてすぐれた引き戸用換気装置を提供することができる。
【図面の簡単な説明】
【０００９】
【図１】本発明に係る引き戸用換気装置の第１実施例を示す引違い戸が閉、換気パネルが開の状態を示す横断面図である。
【図２】同引違い戸が開、換気パネルが閉の状態を示す横断面図である。
【図３】図２のＡ−Ａ矢示位置での縦断面図である。
【図４】図２のＢ−Ｂ矢示位置での縦断面図である。
【図５】上記第１実施例の換気パネル不使用時の正面図である。
【図６】上記第１実施例における換気パネルの使用状態の正面図である。
【図７】図２の省略箇所も明確に記載した横断面図である。
【図８】本発明に係る引き戸用換気装置の第２実施例を示す引違い戸が閉、換気パネルが開の状態を示す横断面図である。
【図９】同引違い戸が開、換気パネルが閉の状態を示す横断面図である。
【図１０】図９のＣ−Ｃ矢示位置での縦断面図である。
【図１１】図９のＤ−Ｄ矢示位置での縦断面図である。
【図１２】図９の省略箇所も明確に記載した横断面図である。
【発明を実施するための形態】
【００１０】
図１〜図７は、本発明に係る引き戸用換気装置における第１実施例を示している。
本発明に係る引き戸用換気装置は、後述する第２実施例を含めて、基本的に、建物開口部１における片引きの引き戸５、あるいは一対の引き戸５からなる引違い戸４に換気パネル７を付設することにより構成されるものであり、上記第１実施例に係る引き戸用換気装置は、換気パネル７を後付けで建物開口部１に取り付けできるタイプ、また図８〜図１２に示す第２実施例に係る引き戸用換気装置は、換気パネル７を上記引き戸５あるいは引違い戸４が摺動自在に保持されているサッシ３のパネル取付部３ａ（図８参照）に直接的に支持させるタイプのものである。
【００１１】
なお、上記第１実施例及び第２実施例の引き戸用換気装置は、単に換気パネル７が後付けかサッシ３に予め組み付けられているかの違いだけでなく、後付けの場合には各種引き戸に付設可能にするように配慮して構成され、また、サッシ３のパネル取付部３ａに組み付ける場合には、例えば、引違い戸４と換気パネル７との間に特定の関連的構成を備えたものとすることができる。
【００１２】
更に、本発明に係る引き戸用換気装置は、上記第１実施例及び第２実施例として図示した一対の引き戸５からなる引違い戸４に限るものではなく、片引きの単一の引き戸５についても適用できるものである。この場合には、片引きの引き戸５及び換気パネル７が図１の右半に示す構成を備え、該引き戸５が、同図の左方に開くものとして理解すればよいのでその図示は省略しているが、以下の実施例の説明は上記片引きの引き戸５にも適用されるものとして解されるべきである。
【００１３】
図示した第１実施例について説明すると、当該実施例において建物開口部１に設置された一対の引き戸５により構成される引違い戸４は、建物開口部１に設置されたサッシ３に摺動自在に支持させた既知のものである。この引違い戸４の室内側に取り付ける換気パネル７は、上記引違い戸４における各引き戸５により開放される側の開口部枠２、つまり、上記サッシ３を取り付けた建物開口部１の左右の開口部枠２に、蝶番８により開閉自在に支持させたもので、その取付構造は、図示のように、サッシ３を介して開口部枠２にねじ９等で固定しても、あるいは開口部枠２に直接的に固定してもよい。
【００１４】
上記換気パネル７は、上記蝶番８により開閉自在に取り付けられるパネル枠１１に、防虫を兼ねて通風を確保するための多数の通気用小孔１２ａを開設した金属多孔板からなる面板１２（図６参照）を取り付けたものであり、該換気パネル７は上記引き戸５の換気のための開き巾に対応するパネル巾を有し、そして、該換気パネル７には、それが引き戸５に沿う図２〜図４及び図６の閉じ位置を保持した状態で固定する固定機構１４を備え、また該換気パネル７のパネル枠１１の先端側には、換気巾だけ開放した引き戸５の縦框５ａの内側と係合して、該引き戸５の更なる開放を規制する係合機構１６を備えている。
【００１５】
上記換気パネル７を引き戸５に沿う図２の閉じ位置に固定する固定機構１４としては、該換気パネル７のパネル枠１１に設けた操作摘み１４ａの操作により昇降して上下の開口部枠２に挿脱される固定杆（図示省略）を備えているが、これは一般の扉等においてその固定のために用いる周知の構造であるため、図示を省略している。
また、上記換気パネル７のパネル枠１１に設けた係合機構１６は、換気パネル７を閉位置に移動させたときに該換気パネル７のパネル枠１１の先端側から引き戸５側に突出する係合部片１６ａによって構成され、それを引き戸５の開放側の縦框５ａの内側の一部と係合して該引き戸５の動きを制止するように形成している。
【００１６】
なお、上記第１実施例は、片引きの引き戸５または一対の引き戸５を有する引違い戸４として説明したが、上記引き戸用換気装置は、４枚引違い戸等に対しても適用することができる。但し、その場合には、換気パネル７の使用時におけるいずれかの引き戸５の移動により侵入路が形成されないように、それらの引き戸５の固定を配慮する必要がある。後述する第２実施例についても同様である。
【００１７】
また、上記換気パネル７の周囲や該換気パネル７のパネル枠１１の蝶番８による軸着側に虫類が侵入する隙間が生じる場合には、その隙間を閉鎖するための閉鎖板２０やモヘア等を換気パネル７のパネル枠１１に設けて、その隙間を可及的に閉鎖することが望まれる。
なお、図５及び図６中に示す符号２１は、一対の引き戸５間を固定するクレセントを示している。
【００１８】
従って、引き戸５を予め若干開いた状態にしておき、あるいは、引き戸５を閉じたままで、換気パネル７を固定機構１４により引き戸５に沿う閉じ位置（図２〜図４及び図６）に固定し、その状態で上記引き戸５を開放方向に移動させて、図２に示すように、その開放側の縦框５ａの内側縁を換気パネル７のパネル枠１１における係合部片１６ａに当接係止させることにより、引き戸５を換気のための一定の開き巾に保持することができる。この状態では、上記引き戸５の縦框５ａと換気パネル７における係合部片１６ａの当接係止により、それ以上の引き戸５の開放が抑制され、外部からの他人の不法な侵入を抑制することができる。
【００１９】
図８〜図１２は、本発明に係る引き戸用換気装置の第２実施例を示し、この引き戸用換気装置は、前述したように、換気パネル７を上記引き戸５が摺動自在に保持されているサッシ３におけるパネル取付部３ａに支軸８ａにより直接的に回転自在に支持させている。
また、図示の実施例では、換気パネル７に設けた上記引き戸５の開放を規制する係合機構１６を構成するところの係合部片１６ａを、該引き戸５の縦框５ａに設けた段部１８に係合させているが、この第２実施例では換気パネル７を予めサッシ３に組み付けるものとして構成しているので、該換気パネル７側から突出して引き戸５の縦框５ａにおける係止孔に係止する挿脱自在の係止部材等により形成することもできる。この場合、引き戸５はその係合機構１６により定位置に保持されることになる。
【００２０】
ここで、上記図８〜図１２に示した第２実施例に係る引き戸用換気装置のその他の構成及び作用は、実質的に図１〜図７で説明した第１実施例の引き戸用換気装置と実質的に同一であるから、同一または対応部分に同一の符号を付して、それらの説明を省略する。
【符号の説明】
【００２１】
１    建物開口部
２    開口部枠
３    サッシ
４    引違い戸
５    引き戸
５ａ  縦框
７    換気パネル
１１    パネル枠
１２    面板
１２ａ  通気用小孔
１４    固定機構
１６    係合機構
１６ａ  係合部片
【図１】
0005580039.tif 000002
【図２】
0005580039.tif 000003
【図３】
0005580039.tif 000004
【図４】
0005580039.tif 000005
【図５】
0005580039.tif 000006
【図６】
0005580039.tif 000007
【図７】
0005580039.tif 000008
【図８】
0005580039.tif 000009
【図９】
0005580039.tif 000010
【図１０】
0005580039.tif 000011
【図１１】
0005580039.tif 000012
【図１２】
0005580039.tif 000013